(57)【要約】【課題】携帯電話機への着信を携帯電話機の位置に応じて転送し、通話が成立する可能性が高く、発信者が状況を把握した上で通話することができるようにする。【解決手段】交換機２０は、携帯電話端末１０への着信があった場合、携帯電話端末１０の制御装置１４に対し位置情報を要求する。制御装置１４は、位置情報感知装置１３が算出した位置情報を、携帯電話端末１０の電話番号と共に着信情報管理システム３０の制御装置３１に送信する。制御装置３１は、受信した電話番号および位置情報に対応する着信端末情報、選択順およびメッセージを交換機２０に送信する。交換機２０は、選択順にしたがって着信端末情報を選択し、選択した着信端末情報にしたがって着信端末の呼出を行う。また、交換機２０は、発信者にメッセージを送信する。【選択図】図１
2008193287.tif 000002
【特許請求の範囲】
【請求項１】
あらかじめ携帯端末の位置情報に対応付けて、前記携帯端末に着信があった時の複数の転送先と、前記各転送先の選択順とを記憶する記憶手段と、
前記携帯端末に着信があった時の前記携帯端末の位置情報に基づいて、前記記憶手段が記憶する転送先を特定する転送先特定手段と、
前記記憶手段が記憶する選択順にしたがって、前記転送先特定手段が特定した転送先に着信を転送する着信転送手段と
を備えたことを特徴とする着信転送システム。
【請求項２】
記憶手段は、着信の転送先に対応付けて、発信者に通知するためのメッセージを記憶し、
着信転送手段は、転送先特定手段が特定した着信の転送先に対応するメッセージを、発信者端末に送信する
請求項１記載の着信転送システム。
【請求項３】
着信転送手段は、着信の転送先で着信が完了しない場合に、転送先の選択順にしたがって、次の転送先に着信を転送する請求項１または請求項２記載の着信転送システム。
【請求項４】
着信転送手段は、転送先特定手段が着信の転送先を特定できなかった場合に、携帯端末に着信させる請求項１から請求項３のうちのいずれか１項に記載の着信転送システム。
【請求項５】
携帯端末への着信を転送する交換装置に転送先を示す情報を送信する着信情報管理システムであって、
あらかじめ前記携帯端末の位置情報に対応付けて、前記携帯端末に着信があった時の複数の転送先と、前記各転送先の選択順とを記憶する記憶手段と、
前記携帯端末に着信があった時の前記携帯端末の位置情報に基づいて、前記記憶手段が記憶する転送先を特定し、前記交換装置に特定した転送先を示す情報を送信する転送先特定手段と
を備えたことを特徴とする着信情報管理システム。
【請求項６】
あらかじめ携帯端末の位置情報に対応付けて、前記携帯端末に着信があった時の複数の転送先と、前記各転送先の選択順とを記憶し、前記携帯端末に着信があった時の前記携帯端末の位置情報に基づいて、記憶する転送先を特定する着信情報管理システムから、転送先を示す情報を受信して前記携帯端末への着信を転送する交換装置であって、
前記着信情報管理システムが記憶する選択順にしたがって、前記着信情報管理システムが特定した転送先に着信を転送する着信転送手段を
備えたことを特徴とする交換装置。
【請求項７】
あらかじめ携帯端末の位置情報に対応付けて、前記携帯端末に着信があった時の複数の転送先と、前記各転送先の選択順とを記憶手段に記憶させ、
前記携帯端末に着信があった時の前記携帯端末の位置情報に基づいて、前記記憶手段が記憶する転送先を特定し、
前記記憶手段が記憶する選択順にしたがって、特定した転送先に着信を転送する
ことを特徴とする着信転送方法。
【請求項８】
携帯端末への着信を転送する交換装置に転送先を示す情報を送信するための着信情報管理プログラムであって、
コンピュータに、
あらかじめ前記携帯端末の位置情報に対応付けて、前記携帯端末に着信があった時の複数の転送先と、前記各転送先の選択順とを記憶手段に記憶させる処理と、
前記携帯端末に着信があった時の前記携帯端末の位置情報に基づいて、前記記憶手段が記憶する転送先を特定し、前記交換装置に特定した転送先を示す情報を送信する処理と
を実行させるための着信情報管理プログラム。
【発明の詳細な説明】
【技術分野】
【０００１】
本発明は、携帯端末への着信を転送する着信転送システム、着信情報管理システム、交換装置、着信転送方法および着信情報管理プログラムに関する。
【背景技術】
【０００２】
携帯電話機等の携帯端末への着信を、登録された着信転送先（着信端末）に自動的に転送する技術が知られている。しかし、自分の居場所にしたがって着信端末を変更するためには、自分の居場所が変わるたびに着信転送先を変更登録する必要があり、利便性の面で大変わずらわしいという問題がある。
【０００３】
このような問題を解決する方式として、移動端末への着呼を指定された転送先に転送する着信転送の制御方式に関し、移動端末の位置により着信転送の実行または解除の可否を自動的に判断して処理することにより着信転送の操作を簡略化する方式が提案されている（例えば、特許文献１参照）。
【０００４】
【特許文献１】特開平９−２３３５５０号公報（段落００５７，００５９，００６０）
【発明の開示】
【発明が解決しようとする課題】
【０００５】
しかし、特許文献１に記載された方式では、携帯電話機の加入者（所有者）の存在する場所にしたがって、発信者が特定した携帯電話機ではない端末に転送されて着信した場合、発信者にその旨を伝える手段がない。そのため、発信者は、携帯電話機の加入者以外の人が応答する可能性があることを知り得ないという問題がある。また、特許文献１に記載された方式では、携帯電話機が存在する１箇所の位置に対し、１つの着信転送先に転送されるに過ぎない。そのため、転送先でも着信が受け付けられなかった場合には、通話が成立しない可能性がある。
【０００６】
そこで、本発明は、携帯電話機への着信を携帯電話機の位置に応じて転送し、通話が成立する可能性が高く、発信者が状況を把握した上で通話することができる着信転送システム、着信転送方法および着信転送プログラムを提供することを目的とする。
【課題を解決するための手段】
【０００７】
本発明による着信転送システムは、あらかじめ携帯端末の位置情報に対応付けて、携帯端末に着信があった時の複数の転送先と、各転送先の選択順とを記憶する記憶手段と、携帯端末に着信があった時の携帯端末の位置情報に基づいて、記憶手段が記憶する転送先を特定する転送先特定手段と、記憶手段が記憶する選択順にしたがって、転送先特定手段が特定した転送先に着信を転送する着信転送手段とを備えたことを特徴とする。
【０００８】
記憶手段は、着信の転送先に対応付けて、発信者に通知するためのメッセージを記憶し、着信転送手段は、転送先特定手段が特定した着信の転送先に対応するメッセージを、発信者端末に送信することが望ましい。そのような構成によれば、発信者は、着信の転送先に関する情報を得て通話することができる。
【０００９】
着信転送手段は、着信の転送先で着信が完了しない場合に、転送先の選択順にしたがって、次の転送先に着信を転送することが望ましい。そのような構成によれば、指定した順に着信の転送先が特定される。
【００１０】
着信転送手段は、転送先特定手段が着信の転送先を特定できなかった場合に、携帯端末に着信させてもよい。そのような構成によれば、転送先が特定されない場合には着信があった携帯電話機に着信される。
【００１１】
本発明による着信情報管理システムは、携帯端末への着信を転送する交換装置に転送先を示す情報を送信する着信情報管理システムであって、あらかじめ携帯端末の位置情報に対応付けて、携帯端末に着信があった時の複数の転送先と、各転送先の選択順とを記憶する記憶手段と、携帯端末に着信があった時の携帯端末の位置情報に基づいて、記憶手段が記憶する転送先を特定し、交換装置に特定した転送先を示す情報を送信する転送先特定手段とを備えたことを特徴とする。
【００１２】
本発明による交換装置は、あらかじめ携帯端末の位置情報に対応付けて、携帯端末に着信があった時の複数の転送先と、各転送先の選択順とを記憶し、携帯端末に着信があった時の携帯端末の位置情報に基づいて、記憶する転送先を特定する着信情報管理システムから、転送先を示す情報を受信して携帯端末への着信を転送する交換装置であって、着信情報管理システムが記憶する選択順にしたがって、着信情報管理システムが特定した転送先に着信を転送する着信転送手段を備えたことを特徴とする。
【００１３】
本発明による着信転送方法は、あらかじめ携帯端末の位置情報に対応付けて、携帯端末に着信があった時の複数の転送先と、各転送先の選択順とを記憶手段に記憶させ、携帯端末に着信があった時の携帯端末の位置情報に基づいて、記憶手段が記憶する転送先を特定し、記憶手段が記憶する選択順にしたがって、特定した転送先に着信を転送することを特徴とすることを特徴とする。
【００１４】
本発明による着信情報管理プログラムは、携帯端末への着信を転送する交換装置に転送先を示す情報を送信するための着信情報管理プログラムであって、コンピュータに、あらかじめ携帯端末の位置情報に対応付けて、携帯端末に着信があった時の複数の転送先と、各転送先の選択順とを記憶手段に記憶させる処理と、携帯端末に着信があった時の携帯端末の位置情報に基づいて、記憶手段が記憶する転送先を特定し、交換装置に特定した転送先を示す情報を送信する処理とを実行させることを特徴とする。
【発明の効果】
【００１５】
本発明によれば、選択順に応じて最適な着信端末に着信させることができ、着信完了の機会を増やすことができるという効果がある。
【発明を実施するための最良の形態】
【００１６】
以下、本発明の実施の形態を図面を参照して説明する。図１は、本発明による着信転送システムの構成例を示すブロック図である。図１に示す着信転送システムは、携帯電話端末１０と、交換機２０と、着信情報管理システム３０とを備える。
【００１７】
交換機２０および着信情報管理システム３０は、固定電話網やインターネットを含む通信ネットワーク４０を介して通信可能に接続される。携帯電話端末１０は、交換機２０を含む携帯電話網および通信ネットワーク４０を介して、着信情報管理システム３０、発信者が所有する通信端末（発信者端末）５０および端末１−１〜１−ｎと通信可能に接続される。
【００１８】
発信者端末５０は、例えば、携帯電話端末１０に発信を行い、通信ネットワーク４０および交換機２０を介して通話を行う。また、端末１−１〜１−ｎは、発信者端末５０および携帯電話端末１０と通信可能な通信端末であって、携帯電話端末１０への着信が転送される着信端末である。発信者端末５０および端末１−１〜１−ｎは、例えば、固定電話機や携帯電話機等である。
【００１９】
携帯電話端末１０は、表示装置１１と、入力装置１２と、位置情報感知装置１３と、制御装置１４とを含む。なお、本実施の形態では、携帯端末が携帯電話機である場合を示すが、ＰＨＳ等の端末であってもよい。
【００２０】
入力装置１２は、例えば、情報を入力するためのキー操作部である。入力装置１２は、着信情報管理システム３０に送信する情報を入力するために使用される。入力装置１２は、携帯電話端末１０の加入者の操作にしたがって、位置情報と、位置に対応した着信転送先を示す着信端末情報と、端末情報の選択順と、着信端末に接続するために発信者に知らせるべきメッセージとを入力するために用いられる。
【００２１】
位置情報感知装置１３は、携帯電話端末１０の位置情報を感知する。例えば、位置情報感知装置１３は、ＧＰＳ衛星（図示せず。）からＧＰＳ信号を受信し、受信したＧＰＳ信号に基づいて位置情報（緯度や経度）を求める。また、例えば、位置情報感知装置１３は、通信キャリアが提供する位置情報サービスを利用して、基地局から受信する信号に基づいて位置情報を求める。
【００２２】
表示装置１１は、例えば液晶表示装置や有機ＥＬディスプレイ装置等のディスプレイ装置によって実現され、情報を表示する。例えば、表示装置１１は、位置情報感知装置１３が求めた位置情報を表示する。
【００２３】
制御装置１４は、プログラムに従って動作し、携帯電話端末１０の各部の制御を行う。例えば、制御装置１４は、交換機２０との情報の送受信などの各種の制御を実行する。
【００２４】
交換機２０（具体的には、デジタル交換機）は、制御装置２１と、記憶装置２２とを含む。制御装置２１は、プログラムに従って動作し、交換処理、情報送受信、着信順制御、発信者へのメッセージ送信等の各種の処理を実行する。記憶装置２２は、着信情報管理システム３０から受信した着信端末情報、選択順およびメッセージを記憶する。また、制御装置２１は、選択順にしたがって着信端末情報を選択し、選択した着信端末情報にしたがって着信端末の呼出を行う。また、制御装置２１は、発信者にメッセージを送信する処理を行う。
【００２５】
着信情報管理システム３０は、例えば、通信キャリアが運営するシステムであり、具体的には、パーソナルコンピュータ等の情報処理装置によって実現される。着信情報管理システム３０は、制御装置３１と、記憶装置３２とを含む。着信情報管理システム３０は、交換機２０および通信ネットワーク４０を介して、携帯電話端末１０から、携帯電話端末１０の電話番号、位置情報、着信端末情報と、選択順およびメッセージを含む情報を受信し、あらかじめ記憶装置３２に記憶する。
【００２６】
記憶装置３２は、受信した携帯電話端末１０の電話番号、位置情報、着信端末情報と、選択順およびメッセージを記憶する。
【００２７】
制御装置３１は、プログラムにしたがって動作し、例えば、交換機２０との情報の送受信などの各種の制御を実行する。制御装置３１は、受信した携帯電話端末１０の電話番号及び位置情報に基づいて、記憶装置３２が記憶する情報を検索し、対応する着信端末情報、選択順およびメッセージを抽出して、交換機２０に送信する処理を実行する。
【００２８】
本実施の形態において、記憶手段は、着信情報管理システム３０の記憶装置３２によって実現される。転送先特定手段は、着信情報管理システム３０の制御装置３１および交換機２０の制御装置２１によって実現される。着信転送手段は、交換機２０の制御装置２１によって実現される。
【００２９】
次に、図面を参照して本実施の形態の動作について説明する。まず、着信情報管理システム３０の記憶装置３２に、位置情報、着信端末情報、選択順およびメッセージを記憶させる動作について説明する。図２は、位置情報、着信端末情報、選択順およびメッセージを記憶させる動作の例を示すフローチャートである。
【００３０】
制御装置１４は、あらかじめ携帯電話端末１０を所有する加入者の操作にしたがって、入力装置１２から、位置情報、着信端末情報、選択順およびメッセージを入力する（ステップＳ１）。図３は、位置情報、着信端末情報、選択順およびメッセージを説明するための説明図である。位置情報、着信端末情報、選択順およびメッセージは、例えば、携帯電話端末１０の電話番号に対応付けられた情報である。図３に示すように、位置１情報〜位置ｍ情報のそれぞれについて、着信端末情報「携帯電話端末１０情報」、「端末１−１情報」〜「端末１−ｎ情報」が設定される。それぞれの位置１情報〜位置ｍ情報に着目すると、設定された着信端末情報に対し、選択順が割り当てられる。例えば、選択順は、図３に示す各欄に設定される。また、着信端末情報に対応させて、通知メッセージが設定される。
【００３１】
着信端末情報は、携帯電話端末１０の加入者が所有する別の携帯電話端末の電話番号や、加入者の家庭の固定電話機の電話番号や、加入者が勤める会社の部門代表の電話番号などであってもよい。
【００３２】
また、位置情報を入力する場合には、位置情報を知りたい位置に携帯電話端末１０を移動させることによって、位置情報感知装置１３が算出した位置情報を表示装置１１に表示させることができる。例えば、加入者は、表示装置１１に表示させた位置情報を参照して入力することができる。
【００３３】
携帯電話端末１０の制御装置１４は、入力された位置情報、着信端末情報、選択順およびメッセージを、交換機２０を介して着信情報管理システム３０に送信する（ステップＳ２）。着信情報管理システム３０の制御装置３１は、携帯電話端末１０が送信した位置情報、着信端末情報、選択順およびメッセージを受信し、携帯電話端末１０に対応付けて（例えば、携帯電話端末１０の端末ＩＤや電話番号に対応付けて）記憶装置３２に記憶させる（ステップＳ３）。
【００３４】
なお、携帯電話端末１０の制御装置１４は、携帯電話端末１０を移動させることによって位置情報を入力する場合、位置を移動するごとに、位置情報、着信端末情報、選択順およびメッセージを着信情報管理システム３０に送信してもよい。その場合、着信情報管理システム３０の制御装置３１は、携帯電話端末１０から、位置情報、着信端末情報、選択順およびメッセージを受信するごとに、携帯電話端末１０の端末ＩＤや電話番号に対応付けて記憶装置３２に記憶させる。
【００３５】
次に、携帯電話端末への着信を転送する動作について説明する。図４は、携帯電話端末への着信を転送する動作の例を示すフローチャートである。
【００３６】
交換機２０は、携帯電話端末１０への着信があった場合、携帯電話端末１０の制御装置１４に対し位置情報を要求する（ステップＳ１１）。
【００３７】
携帯電話端末１０の制御装置１４は、位置情報感知装置１３が算出した位置情報を、携帯電話端末１０の電話番号と共に交換機２０に送信する（ステップＳ１２）。交換機２０は、携帯電話端末１０から受信した携帯電話端末１０の電話番号（携帯電話端末１０の端末ＩＤでもよい）と位置情報とを、着信情報管理システム３０の制御装置３１に送信する。
【００３８】
着信情報管理システム３０の制御装置３１は、記憶装置３２を検索し、受信した電話番号および位置情報に対応する着信端末情報、選択順およびメッセージがあるか否かを判断する（ステップＳ１３）。受信した電話番号および位置情報に対応する着信端末情報、選択順およびメッセージがある場合には（ＹＥＳ）、対応する情報を交換機２０に送信する（ステップＳ１４）。
【００３９】
一方、受信した電話番号および位置情報に対応する情報が記憶装置３２に記憶されていない場合には（ＮＯ）、制御装置３１は、送信すべき情報がない旨を示す情報を交換機２０に送信する（ステップＳ２１）。交換機２０は、送信すべき情報がない旨を示す情報を受信した場合には、携帯電話端末１０に着信させる（ステップＳ２２）。交換機２０は、所定の時間間隔で、着信端末への着信が完了したか否かを判断する（ステップＳ２３）。携帯電話端末１０への着信が完了しない場合（ＮＯ）、交換機２０は、呼切断を行う（ステップＳ２４）。着信が完了した場合には（ＹＥＳ）、呼接続を行い（ステップＳ２５）、一連の処理を終了する。
【００４０】
交換機２０は、着信端末情報、選択順およびメッセージを受信した場合、受信した情報を記憶装置２２に記憶させ、選択順にしたがって着信端末情報を選択する。そして、交換機２０は、選択した着信端末情報にしたがって着信端末の呼出を行う。また、交換機２０は、発信者にメッセージを送信する（ステップＳ１５）。
【００４１】
交換機２０は、所定の時間間隔で、着信端末への着信が完了したか否かを判断する（ステップＳ１６）。着信が完了した場合には（ＹＥＳ）、呼接続を行い（ステップＳ１９）、一連の処理を終了する。
【００４２】
交換機２０は、着信端末が携帯電話端末であって電源断や電波が届かないなどの理由や、着信端末が固定電話機であって、呼び出しタイムアウトなどで通話が成立しないなどの理由により、着信が完了しない場合には（ＮＯ）、選択順にしたがって次の着信端末情報を選択可能か否かを判断する（ステップＳ１７）。なお、交換機２０は、留守番電話着信であることを検出できる場合には、着信が完了しないとしてステップＳ１７の処理を実行してもよい。
【００４３】
ステップＳ１７において、選択順にしたがって次の着信端末情報を選択可能である場合には（ＹＥＳ）、交換機２０は、ステップＳ１５に移行し、選択した着信端末情報にしたがって着信端末の呼出を行うとともに、発信者にメッセージを送信する。また、選択可能な着信端末情報がない場合には（ＮＯ）、交換機２０は、呼切断を行い（ステップＳ１８）、一連の処理を終了する。
【００４４】
ここで、発信者に送信されるメッセージは、例えば、音声情報であることが望ましい。その場合、着信情報管理システム３０の記憶装置３２は、メッセージを音声情報として記憶してもよい。また、記憶装置３２には文字情報等としてメッセージを記憶し、発信者に送信する際に音声情報に変換してもよい。
【００４５】
次に、具体例を用いて本実施の形態の動作を説明する。
【００４６】
例えば、携帯電話端末１０を所有する加入者は、自宅にいる場合（携帯電話端末が自宅にある場合）には、たとえ携帯電話端末に着信があっても、通信品質等を考えて、自宅の固定電話機で着信したいとする。また、会社にいる場合（携帯電話端末が会社にある場合）には、たとえ携帯電話端末に着信があっても、会社の固定電話機で着信したいとする。また、自宅および会社以外の場所にいるときのみ携帯電話端末で着信したいという前提であるとする。
【００４７】
あらかじめ、携帯電話端末１０を所有する加入者は、位置情報感知装置１３および表示装置１１を用いて、自宅及び会社の存在場所の位置情報を測定し、位置情報、着信端末情報、選択順およびメッセージを入力する。図５は、位置情報、着信端末情報、選択順およびメッセージの設定例を示す説明図である。図５に示す例では、位置情報として、自宅の位置情報、会社の位置情報、自宅及び会社以外の位置情報が設定されている。また、着信端末情報として、携帯電話端末１０の電話番号、自宅の固定電話番号、会社の固定電話番号が設定されている。
【００４８】
図５には、自宅の位置情報に対し、自宅の固定電話番号の選択順が１であり、携帯電話端末１０の選択順が２である場合を例示する。また、会社の位置情報に対し、会社の固定電話番号の選択順が１であり、携帯電話端末１０の選択順が２である場合を例示する。また、自宅および会社以外の場所にいるとき、すなわち自宅及び会社以外の位置情報に対し、携帯電話端末１０の選択順が１である場合を例示する。図５に示す例では、自宅の固定電話番号に対応させて、通知メッセージ「家の電話を呼び出します」が設定され、会社の固定電話番号に対応させて、通知メッセージ「会社の部門代表電話」が設定されている。また、携帯電話端末１０番号にはメッセージが設定されない。
【００４９】
携帯電話端末１０の制御装置１４は、図５に示す位置情報、着信端末情報、選択順およびメッセージを、交換機２０を介して着信情報管理システム３０に送信する。着信情報管理システム３０の制御装置３１は、携帯電話端末１０が送信した位置情報、着信端末情報、選択順およびメッセージを受信し、記憶装置３２に記憶させる。
【００５０】
自宅にいる際に携帯電話端末１０への着信があった場合、交換機２０は、自宅の固定電話番号、携帯電話端末１０の順に着信させるとともに、自宅の固定電話番号の呼出中に、発信者にメッセージ「家の電話を呼び出します」を送信する。また、会社にいる際に携帯電話端末１０への着信があった場合、交換機２０は、会社の固定電話番号、携帯電話端末１０の順に着信させるとともに、会社の固定電話番号の呼出中に、発信者にメッセージ「会社の部門代表電話」を送信する。自宅および会社以外の場所にいる際に携帯電話端末１０への着信があった場合、交換機２０は、携帯電話端末１０、自宅の固定電話番号の順に呼出を行うとともに、自宅の固定電話番号の呼出中に、発信者にメッセージ「家の電話を呼び出します」を送信する。
【００５１】
以上に説明したように、本発明によれば、位置情報とその位置で着信したい端末とをそれぞれ料金や通話品質等を考慮して登録し、端末の位置情報に基づいて登録された位置情報を検索して着信端末を選択する。そのため、登録した位置に移動したときや、登録した位置から外れたときに、それぞれ登録した端末で着信することができる。
【００５２】
また、登録したメッセージを用いて、着信端末に応じたメッセージを発信者に送信することにより、発信者に着信端末の情報を伝えることから、発信者は、状況を把握して通話することができる。例えば、自宅に着信した場合、発信者に、電話をしようとした本人ではなく、家族が電話に出る可能性があることを知らせることができるため、発信者の動揺や戸惑いを軽減させることができる。
【００５３】
また、１つの位置に対し、選択順を指定して複数の着信転送先を設定することができる。そして、まず第１の着信端末に着信させ、着信が完了しなかった場合は、次の着信端末に着信させる、というように、着信が完了するまで順次決められた順番で着信先を変えていくことができる。そのため、最適な着信端末に着信させることができるとともに、着信完了の機会を増やすことができる。
【００５４】
なお、上記の実施の形態では、交換機２０と着信情報管理システム３０とが別個の装置である場合を例示したが、交換機２０が着信情報管理システム３０の機能を包含してもよい。
【産業上の利用可能性】
【００５５】
本発明は、携帯電話機への着信を転送するために適用することができ、特に、現在位置に応じて適切な転送先に転送して通話を成立させるために効果的に適用することができる。
【図面の簡単な説明】
【００５６】
【図１】本発明による着信転送システムの構成例を示すブロック図である。
【図２】位置情報、着信端末情報、選択順およびメッセージを記憶させる動作の例を示すフローチャートである。
【図３】位置情報、着信端末情報、選択順およびメッセージを説明するための説明図である。
【図４】携帯電話端末への着信を転送する動作の例を示すフローチャートである。
【図５】位置情報、着信端末情報、選択順およびメッセージの設定例を示す説明図である。
【符号の説明】
【００５７】
１−１〜１−ｎ  端末
１０            携帯電話端末
１１            表示装置
１２            入力装置
１３            位置情報感知装置
１４            制御装置
２０            交換機
２１            制御装置
２２            記憶装置
３０            着信情報管理システム
３１            制御装置
３２            記憶装置
４０            通信ネットワーク
５０            発信者端末
【図１】
2008193287.tif 000003
【図２】
2008193287.tif 000004
【図３】
2008193287.tif 000005
【図４】
2008193287.tif 000006
【図５】
2008193287.tif 000007